(57)【要約】      （修正有）【課題】打撃の力を調節でき、打撃力の変化を防止できるハンマーツールを提供する。【解決手段】対象物に当接するビット１と、ビット１を軸心方向へ出退自在に保持するノズル部３を有する本体胴２と、ビット１に当接し、本体胴２の軸心方向へ移動自在なガイドピン７と、ガイドピン７を本体胴２の軸心に対して傾斜する姿勢に保持し、ガイドピン７をビットに向けて押圧するガイドバネ８と、ガイドピン７を本体胴２の軸心位置に案内するブッシュ１１と、ガイドピン７に当接し、本体胴２の軸心位置にガイドピン７に遊嵌する打撃用孔１７を有するハンマー１６と、ハンマー１６をガイドピン７に向けて打ち込む打撃用バネ１８と、本体胴２の軸心方向へ往復移動し、打撃用バネ１８の反力を受け止めるキャップ１９と、本体胴２の軸心方向へ往復移動し、キャップ１９に締め付ける回り止めナット部２２を備える。【選択図】図２
0003224726.tif 000002
【実用新案登録請求の範囲】
【請求項１】
先端が対象物に当接するビットと、ビットを軸心方向へ出退自在に保持するノズル部を有する本体胴と、本体胴内でビットに当接し、本体胴の軸心方向へ移動自在なガイドピンと、ガイドピンを本体胴の軸心に対して傾斜する姿勢に保持するとともに、ガイドピンをビットに向けて押圧するガイドバネと、ガイドピンを本体胴の軸心位置に案内するブッシュと、ガイドピンに当接して本体胴の軸心方向へ移動自在で、軸心位置にガイドピンに遊嵌する打撃用孔を有するハンマーと、ハンマーをガイドピンに向けて打ち込む打撃用バネと、本体胴の外周面に螺合して本体胴の軸心方向へ往復移動し、打撃用バネの反力を受け止めるキャップと、本体胴の外周面に螺合して本体胴の軸心方向へ往復移動し、キャップに締め付ける回り止めナット部を備えることを特徴とするハンマーツール。
【請求項２】
キャップと回り止めナット部の間にワッシャを介装したことを特徴とする請求項１に記載のハンマーツール。
【考案の詳細な説明】
【技術分野】
【０００１】
本考案はハンマーツールに関し、対象物にマークを打刻し、または対象物を打撃する作業工具に係るものである。
【背景技術】
【０００２】
従来では、ポンチをハンマー等で打撃することで対象物にポンチ穴を打刻しており、あるいは対象物から飛び出た釘頭に工具の平坦な先端を当てた状態で工具をハンマー等で打撃することで対象物にハンマーの打痕を残さずに釘頭を対象物に打ち込んだり、たがねをハンマー等で打撃することでビスの頭をはつり取っている。
【０００３】
また、特許文献１に記載するハンマーツールでは、本体胴内に配置されたハンマーを打撃用バネでガイドピンを介してビットに打ち付ける構成が記載されている。
【０００４】
このハンマーツールは、先端が用途毎に異なる形状をなす各種のビットと、ノズル部にビットを軸心方向へ出退自在に装着する本体胴と、ノズル部内でビットに嵌合してビットを着脱自在に保持するリング体と、ビットに当接して本体胴の軸心方向へ移動自在なガイドピンと、ガイドピンを本体胴の軸心位置に案内するブッシュと、ガイドピンを本体胴の軸心に対して傾斜する姿勢に保持するとともに、ガイドピンをブッシュから離間する方向に押圧するガイドバネと、ガイドピンに当接して本体胴の軸心方向へ移動自在で、軸心位置にガイドピンに遊嵌する打撃用孔を有するハンマーと、ハンマーをガイドピンに向けて打ち込む打撃用バネと、本体胴の内周面に螺合して本体胴の軸心方向へ往復移動し、打撃用バネの反力を受け止める調整ネジと、調整ネジに本体胴の軸心方向で摺動自在に嵌合して調整ネジを回転駆動する調整ネジ駆動バーと、調整ネジ駆動バーの一端を固定保持して本体胴に軸心回りで回転自在に、かつ軸心方向で抜け止め状態に装着したキャップとを備えたものである。
【先行技術文献】
【特許文献】
【０００５】
【特許文献１】実用新案登録第３１２１７３１号
【考案の開示】
【考案が解決しようとする課題】
【０００６】
上記の特許文献１に開示するものでは、一方の手にハンマーツールを保持し、他方の手に他の工具を保持して両手で作業を行うことができる。
【０００７】
また、打撃用バネの瞬発力は打撃用バネの反力を受け止める調整ネジの位置を変更することで調整する。この調整はキャップを本体胴の軸心回りに回転させ、調整ネジ駆動バーとともに調整ネジを回転させ、回転する調整ネジが本体胴の内周面に螺合しながら本体胴の軸心方向に移動することで行う。
【０００８】
しかし、ハンマーツールを使用して作業を行う際に、キャップを掌に押し当てた状態で繰り返し打刻操作を行うと、作業者が意図せぬうちにキャップに回転力が作用し、キャップが本体胴に対して回転し、調整ネジの位置が変化し、打撃用バネによる打撃力が変動する問題があった。
【０００９】
本考案は上記した課題を解決するものであり、片手で作業を行うことができ、かつ打撃の力を調節でき、さらに打撃力が変化することを防止できるハンマーツールを提供することを目的とする。
【課題を解決するための手段】
【００１０】
上記した課題を解決するために、本考案のハンマーツールは、先端が対象物に当接するビットと、ビットを軸心方向へ出退自在に保持するノズル部を有する本体胴と、本体胴内でビットに当接し、本体胴の軸心方向へ移動自在なガイドピンと、ガイドピンを本体胴の軸心に対して傾斜する姿勢に保持するとともに、ガイドピンをビットに向けて押圧するガイドバネと、ガイドピンを本体胴の軸心位置に案内するブッシュと、ガイドピンに当接して本体胴の軸心方向へ移動自在で、軸心位置にガイドピンに遊嵌する打撃用孔を有するハンマーと、ハンマーをガイドピンに向けて打ち込む打撃用バネと、本体胴の外周面に螺合して本体胴の軸心方向へ往復移動し、打撃用バネの反力を受け止めるキャップと、本体胴の外周面に螺合して本体胴の軸心方向へ往復移動し、キャップに締め付ける回り止めナット部を備えることを特徴とする。
【００１１】
本考案のハンマーツールにおいて、キャップと回り止めナット部の間にワッシャを介装したことを特徴とする。
【００１２】
上記した構成により、ビットの先端を対象物に当接させた状態でキャップに力を加え、本体胴を対象物に向けて押圧すると、本体胴が対象物に接近するのにしたがって、ガイドバネの押圧力に抗してビット、ガイドピンが本体胴に対して相対的に軸心方向へ後退する。このとき、本体胴の所定位置に配置したブッシュは一方端面でガイドバネの反力を受け止め、他方端面で打撃用バネに押圧されるハンマーを受け止める。
【００１３】
ガイドピンは、一方端部がビットに当接してガイドバネにより本体胴の軸心に対して傾斜する姿勢に保持された状態で後退し、後退に伴ってガイドバネを圧縮しながらブッシュを通過し、ブッシュを通過した他方端部が打撃用孔からずれた位置でハンマーの端面に当接する。
【００１４】
この状態でさらに本体胴を対象物に向けて押圧すると、ビット、ガイドピンおよびハンマーが一体的に後退して打撃用バネを圧縮し、ブッシュがガイドピンの他方端部を本体胴の軸心位置へ向けて案内する。ブッシュが相対的にガイドピンの所定位置に達すると、ガイドピンの他方端部がハンマーの端面から外れてハンマーの打撃用孔と同軸心状となる。
【００１５】
ガイドピンがハンマーの打撃用孔に遊嵌し、ガイドピンの支えを失ったハンマーが打撃用バネの瞬発力でガイドピンに衝突し、ハンマーがガイドピンを介してビットを打撃し、ビットの先端が対象物に作用してポンチ穴等を形成する機能を発揮する。
【００１６】
打撃用バネの瞬発力は打撃用バネの反力を受け止めるキャップの位置を変更することで調整する。この調整はキャップを本体胴の軸心回りに回転させ、回転するキャップが本体胴の内周面に螺合しながら本体胴の軸心方向に移動することで行う。キャップはハンマーに接近するほどに予め打撃用バネに与える所与の圧縮率を高めて打撃用バネの瞬発力を増加させ、ハンマーから離間するほどに予め打撃用バネに与える所与の圧縮率を低めて打撃用バネの瞬発力を低減する。
【００１７】
打撃用バネの瞬発力を調整する際に、キャップをハンマーに近づける場合には、初めに回り止めナット部を本体胴の軸心回りに回転させてキャップから離間する方向に移動させ、その後にキャップを回り止めナット部に近づく方向に移動させる。キャップをハンマーから遠ざける場合には、初めにキャップを回り止めナット部から離間する方向に移動させ、その後に回り止めナット部を本体胴の軸心回りに回転させてキャップに近づく方向に移動させる。
【００１８】
打撃用バネの瞬発力の調整を終えた後に、本体胴の軸心方向におけるキャップの位置を固定するために、回り止めナット部を本体胴の軸心回りに回転させてキャップに締め付けてダブルナット効果で回り止めする。
【００１９】
また、回り止めナット部は、ワッシャを介してキャップに締め付けることも可能である。
【考案の効果】
【００２０】
本考案によれば、本体胴を対象物に向けて押圧し続けるだけで、打撃用バネを圧縮する工程と、打撃用バネの瞬発力でハンマーがガイドピンを介してビットを打撃する工程とが連続して生じるので、片手で作業を行うことができる。
【００２１】
打撃用バネの瞬発力の調整後は、回り止めナット部をキャップに締め付けてダブルナット効果で回り止めするので、ハンマーツールを使用する際に、キャップを掌に押し当てた状態で繰り返し打刻操作を行なっても、キャップが本体胴に対して回転して移動することがなく、打撃用バネによる打撃力が変動することがない。
【００２２】
また、回り止めナット部は、ワッシャを介してキャップに締め付けることで、緊密性が増して回り止め効果が向上する。
【図面の簡単な説明】
【００２３】
【図１】本考案の実施の形態におけるハンマーツールを示す正面図
【図２】（ａ）、（ｂ）は同実施の形態におけるハンマーツールを示す断面図
【図３】同実施の形態におけるハンマーツールを示す分解図
【図４】（ａ）、（ｂ）は同実施の形態におけるハンマーツールの動作を示す説明図
【図５】（ａ）、（ｂ）は同実施の形態におけるハンマーツールの動作を示す説明図
【考案を実施するための最良の形態】
【００２４】
以下、本考案の実施の形態を図面に基づいて説明する。図１および図２において、ハンマーツールは、ここでは先端の尖ったポンチ機能を有するポンチ用ビット１である。
【００２５】
本体胴２は先端側にノズル部３を螺合によって装着しており、ノズル部３がビット１を軸心方向へ出退自在に保持している。ノズル部３は先端開口４に続く内部空間５が先端開口４によりも内径が大きい空間をなしている。ビット１はストッパ部６を有しており、ストッパ部６はノズル部３の先端開口４より大径で、先端開口４の内側の開口縁に係合してビット１を抜け止めする。
【００２６】
さらに、ノズル部３にはビット１に当接するガイドピン７を軸心方向へ移動自在に配置しており、ガイドピン７はビット１のストッパ部６に当接する一方側が大径部７ａをなし、他方側が小径部７ｂをなし、大径部７ａと小径部７ｂの間がテーパ部７ｃをなし、端末側にバネ受部７ｄを有している。ガイドピン７にはバネ受部７ｄで反力を受け止めるガイドバネ８を装着しており、ガイドバネ８をノズル部３に同軸心状に配置する状態でガイドバネ８がガイドピン７をノズル部３および本体胴２の軸心に対して傾斜する姿勢に保持する。
【００２７】
ノズル部３は端末側の雄ネジ部９を本体胴２の雌ネジ部１０に螺合挿入することで本体胴２に結合している。本体胴２の雌ネジ部１０の奥端にはブッシュ１１を配置している。ブッシュ１１は本体胴２の雌ネジ部１０の奥端に形成した段差部１２とノズル部３の雄ネジ部９の先端１３との間で挟持している。ブッシュ１１はガイドバネ８の反力を受け止め、ガイドバネ８がガイドピン７をブッシュ１１から離間する方向にビット１に向けて押圧する。
【００２８】
ブッシュ１１は本体胴２と同軸心状にガイド孔１４を有し、ガイド孔１４の周囲にテーパ状のガイド面１５を有している。ブッシュ１１はガイド面１５でガイドバネ８を受け止め、ガイドピン７の小径部７ｂがガイド孔１４を通過する間においてガイドピン７が本体胴２の軸心に対して傾斜する姿勢で移動することを許容し、ガイドピン７のテーパ部７ｃがガイド孔１４を通過する間にガイドピン７を本体胴２の軸心位置、つまり同軸心状の姿勢となるように案内する。
【００２９】
本体胴２の内部にはブッシュ１１の後方にハンマー１６を本体胴２の軸心方向へ移動自在に配置しており、ハンマー１６は軸心位置、つまり本体胴２と同軸心状に打撃用孔１７を有し、打撃用孔１７はガイドピン７の小径部７ｂに遊嵌する内径と所定深さを有している。
【００３０】
ハンマー１６の後方には打撃用バネ１８を配置しており、打撃用バネ１８は圧縮後の開放時にその瞬発力でハンマー１６をガイドピン７に向けて打ち込むものである。打撃用バネ１８の後方には打撃用バネ１８の反力を受け止めるキャップ１９を配置している。キャップ１９はキャップ雌ネジ部２０で本体胴２の外周面に形成した第２雄ネジ部２１に螺合して本体胴２の軸心方向へ往復移動する。
【００３１】
本体胴２の外周面の第２雄ネジ部２１には回り止めナット部２２が配置してあり、回り止めナット部２２はキャップ１９よりもノズル部３の側に位置する。回り止めナット部２２はナット雌ネジ部２３で第２雄ネジ部２１に螺合して本体胴２の軸心方向へ往復移動する。
【００３２】
回り止めナット部２２とキャップ１９の間にはワッシャ２４が配置してあり、ワッシャ２４は第２雄ネジ部２１に遊嵌して本体胴２の軸心方向へ往復移動する。
【００３３】
回り止めナット部２２は、ワッシャ２４を介してキャップ１９に締め付けることで、緊密性が増して回り止め効果が向上する。
【００３４】
ノズル部３の外周面には綾目ローレット２５が形成してあり、回り止めナット部２２の外周面には平目ローレット２６が形成してある。
【００３５】
以下、上記した構成における作用を説明する。図４および図５に示すように、対象物に例えばポンチ穴を打刻する場合には、図４の（ａ）に示すように、ビット１の先端を対象物に当接させた状態で本体胴２を対象物に向けて押圧すると、本体胴２が対象物に接近するのにしたがって、ガイドバネ８の押圧力に抗してビット１、ガイドピン７が本体胴２に対して相対的に軸心方向へ後退する。
【００３６】
ガイドピン７は、一方端部がビット１に当接してガイドバネ８により本体胴２の軸心に対して傾斜する姿勢に保持された状態で後退し、後退に伴ってガイドバネ８を圧縮しながらブッシュ１１を通過し、ブッシュ１１を通過した他方端部の小径部７ｂが打撃用孔１７からずれた位置でハンマー１６の端面に当接する。
【００３７】
このとき、本体胴２の所定位置に配置したブッシュ１１は一方端面のガイド面１５でガイドバネ８の反力を受け止め、他方端面で打撃用バネ１８に押圧されるハンマー１６を受け止める。
【００３８】
この状態でさらに本体胴２を対象物に向けて押圧すると、図４の（ｂ）に示すように、ブッシュ１１はガイドピン７の小径部７ｂがガイド孔１４を通過する間においてガイドピン７を本体胴２の軸心に対して傾斜する姿勢で移動することを許容し、ビット１、ガイドピン７およびハンマー１６が一体的に後退して打撃用バネ１８を圧縮する。
【００３９】
さらに本体胴２を対象物に向けて押圧すると、図５の（ａ）に示すように、ブッシュ１１はガイドピン７のテーパ部７ｃおよび大径部７ａがガイド孔１４を通過する間においてガイドピン７を本体胴２の軸心位置へ向けて案内する。
【００４０】
図５の（ｂ）に示すように、ブッシュ１１が相対的にガイドピン７の所定位置に達すると、ガイドピン７の他方端部の小径部７ｂがハンマー１６の端面から外れてハンマー１６の打撃用孔１７と同軸心状となる。
【００４１】
このとき、ガイドピン７がハンマー１６の打撃用孔１７に遊嵌するとともに、ガイドピン７の支えを失ったハンマー１６が、圧縮された状態の打撃用バネ１８の弾性力を受けて、その瞬発力で打撃用孔１７の底部でガイドピン７の小径部７ｂに衝突し、ガイドピン７を介してビット１を打撃し、ビット１の先端が対象物に作用してポンチ穴等を形成する機能を発揮する。
【００４２】
打撃用バネ１８の瞬発力は打撃用バネ１８の反力を受け止めるキャップ１９の位置を変更することで調整する。この調整はキャップ１９を本体胴２の軸心回りに回転させ、回転するキャップ１９が本体胴２の内周面に螺合しながら本体胴２の軸心方向に移動することで行う。
【００４３】
キャップ１９はハンマー１６に接近するほどに予め打撃用バネに与える所与の圧縮率を高めて打撃用バネ１８の瞬発力を増加させ、ハンマー１６から離間するほどに予め打撃用バネ１８に与える所与の圧縮率を低めて打撃用バネ１８の瞬発力を低減する。
【００４４】
打撃用バネ１８の瞬発力を調整する際に、キャップ１９をハンマー１６に近づける場合には、初めに回り止めナット部２２を本体胴２の軸心回りに回転させてキャップ１９から離間する方向に移動させ、その後にワッシャ２４およびキャップ１９を回り止めナット部２２に近づく方向に移動させる。キャップ１９をハンマー１６から遠ざける場合には、初めにキャップ１９を回り止めナット部２１から離間する方向に移動させ、その後にワッシャ２４および回り止めナット部２２を本体胴２の軸心回りに回転させてキャップ１９に近づく方向に移動させる。
【００４５】
打撃用バネ１８の瞬発力の調整を終えた後に、本体胴２の軸心方向におけるキャップ１９の位置を固定するために、回り止めナット部２２を本体胴２の軸心回りに回転させてキャップ１９に締め付けてダブルナット効果で回り止めする。回り止めナット部２２は、ワッシャ２４を介してキャップ１９に締め付けることで、緊密性が増して回り止め効果が向上する。本実施の形態では、ワッシャ２４を用いたが、ワッシャ２４のない構成も可能である。
【符号の説明】
【００４６】
１    ビット
２    本体胴
３    ノズル部
４    先端開口
５    内部空間
６    ストッパ部
７    ガイドピン
７ａ  大径部
７ｂ  小径部
７ｃ  テーパ部
７ｄ  バネ受部
８    ガイドバネ
９    雄ネジ部
１０    雌ネジ部
１１    ブッシュ
１２    段差部
１３    先端
１４    ガイド孔
１５    ガイド面
１６    ハンマー
１７    打撃用孔
１８    打撃用バネ
１９    キャップ
２０    キャップ雌ネジ部
２１    第２雄ネジ部
２２    回り止めナット部
２３    ナット雌ネジ部
２４    ワッシャ
２５    綾目ローレット
２６    平目ローレット
【図１】
0003224726.tif 000003
【図２】
0003224726.tif 000004
【図３】
0003224726.tif 000005
【図４】
0003224726.tif 000006
【図５】
0003224726.tif 000007